(57)【特許請求の範囲】
【請求項１】
ユーザデバイスであって、
プロセッサと、
ネットワークインターフェースと、
電子チケットとチケットトークンとを記憶するように構成されているメモリと
を備え、
前記電子チケットは、前記電子チケットがＤＲＭサーバによってユーザアカウントに関連付けられたかを示す切られたステータスを含み、前記電子チケットは、前記切られたステータスがＵＮＴＯＲＮとは対照的なＴＯＲＮである場合にデジタルコンテンツの再生を有効にし、
前記プロセッサは、アプリケーションによって、
デジタルコンテンツのための要求を販売業者サーバに送信することと、
前記デジタルコンテンツのための要求に応答して送信されたチケットトークンを販売業者サーバから受信することであって、前記チケットトークンは、前記販売業者サーバではないＤＲＭサーバによって生成され、前記要求されたデジタルコンテンツの再生を有効にする電子チケットに関連付けられている、ことと、
前記チケットトークンをＤＲＭサーバに送信することであって、前記ＤＭＲサーバは前記販売業者サーバではない、ことと、
前記チケットトークンに応答して送信された電子チケットを前記ＤＭＲサーバから受信することであって、前記電子チケットは、どの特定のユーザアカウントにも未だ関連付けられていないことを示すＵＮＴＯＲＮステータスで開始され、前記電子チケットは、要求されたデジタルコンテンツの再生を有効にする、ことと、
ＤＭＲサーバが前記電子チケットをユーザアカウントに関連付けたことに基づいて、前記電子チケットの切られたステータスをＴＯＲＮに変更することと、
前記電子チケットに関連付けられたデジタルコンテンツを要求することと、
前記電子チケットがＴＯＲＮの切られたステータスを有する場合に、前記電子チケットを使用して、前記要求されたデジタルコンテンツを再生することと
を行うように構成されている、ユーザデバイス。
【請求項２】
前記電子チケットは、ＸＭＬファイルである、請求項１に記載のユーザデバイス。
【請求項３】
前記電子チケットは、購入されたデジタルコンテンツを識別する、請求項１に記載のユーザデバイス。
【請求項４】
前記電子チケットは、前記購入されたコンテンツの特性を含み、前記特性は、購入された前記コンテンツを識別する情報、前記コンテンツが再生されることが可能な方法を示すライセンス、購入価格、販売業者取引識別子、前記チケットを購入した顧客の識別、および前記チケットを所有する顧客の識別から成る群から選択される、請求項３に記載のユーザデバイス。
【請求項５】
前記電子チケットは、前記電子チケットが参照する前記デジタルコンテンツにアクセスするために使用されることができる暗号化データに関連付けられている、請求項１に記載のユーザデバイス。
【請求項６】
前記チケットトークンは、前記電子チケット、顧客、および前記要求されたデジタルコンテンツを参照する、請求項１に記載のユーザデバイス。
【請求項７】
前記プロセッサは、前記デジタルコンテンツのためのアクセス情報を受信するようにさらに構成されている、請求項１に記載のユーザデバイス。
【請求項８】
前記アクセス情報は、前記デジタルコンテンツの上位レベルインデックス、前記デジタルコンテンツのための識別子、および前記デジタルコンテンツにアクセスするために使用されることができる暗号化データから成る群から選択される少なくとも一式の情報を含む、請求項７に記載のユーザデバイス。
【請求項９】
前記電子チケットは、マルチメディアファイルのヘッダに埋め込まれている、請求項１に記載のユーザデバイス。
【請求項１０】
電子チケットおよびチケットトークンを使用して、ユーザデバイス上でのデジタルコンテンツの再生を有効にする方法であって、前記方法は、
デジタルコンテンツのための要求をユーザデバイスから販売業者サーバに送信することと、
前記ユーザデバイスによって、前記デジタルコンテンツのための要求に応答して送信されたチケットトークンを前記販売業者サーバから受信することであって、前記チケットトークンは、前記販売業者サーバではないＤＲＭサーバによって生成され、電子チケットに関連付けられており、前記電子チケットは、前記電子チケットがＤＲＭサーバによってユーザアカウントに関連付けられたかを示す切られたステータスを含み、前記電子チケットは、前記切られたステータスがＵＮＴＯＲＮとは対照的なＴＯＲＮである場合に前記要求されたデジタルコンテンツの再生を有効にする、ことと、
前記ユーザデバイスを使用して、前記チケットトークンをＤＲＭサーバに送信することであって、前記ＤＭＲサーバは前記販売業者サーバではない、ことと、
前記ユーザデバイスによって、前記チケットトークンに応答して送信された前記電子チケットを前記ＤＭＲサーバから受信することであって、前記電子チケットは、どの特定のユーザアカウントにも未だ関連付けられていないことを示すＵＮＴＯＲＮステータスで開始され、前記電子チケットは、要求されたデジタルコンテンツの再生を有効にする、ことと、
ＤＭＲサーバが前記電子チケットをユーザアカウントに関連付けたことに基づいて、前記電子チケットの切られたステータスをＴＯＲＮに変更することと、
前記ユーザデバイスを使用して、コンテンツサーバから前記電子チケットに関連付けられた前記デジタルコンテンツをダウンロードすることと、
前記電子チケットがＴＯＲＮの切られたステータスを有する場合に、前記要求されたデジタルコンテンツを再生することと
を含む、方法。
【請求項１１】
前記電子チケットは、ＸＭＬファイルである、請求項１０に記載の方法。
【請求項１２】
前記電子チケットは、購入されたデジタルコンテンツを識別する、請求項１０に記載の方法。
【請求項１３】
前記電子チケットは、前記購入されたコンテンツの特性を含み、前記特性は、購入された前記コンテンツを識別する情報、前記コンテンツが再生されることが可能な方法を示すライセンス、購入価格、販売業者取引識別子、前記チケットを購入した顧客の識別、および前記チケットを所有する顧客の識別から成る群から選択される、請求項１２に記載の方法。
【請求項１４】
前記電子チケットは、前記電子チケットが参照する前記デジタルコンテンツにアクセスするために使用されることができる暗号化データに関連付けられている、請求項１０に記載の方法。
【請求項１５】
前記チケットトークンは、前記電子チケット、顧客、および前記要求されたデジタルコンテンツを参照する、請求項１０に記載の方法。
【請求項１６】
前記デジタルコンテンツのためのアクセス情報を受信することをさらに含む、請求項１０に記載の方法。
【請求項１７】
前記アクセス情報は、前記デジタルコンテンツの上位レベルインデックス、前記デジタルコンテンツのための識別子、および前記コンテンツにアクセスするために使用されることができる暗号化データから成る群から選択される少なくとも一式の情報を含む、請求項１６に記載の方法。
【請求項１８】
前記電子チケットは、マルチメディアファイルのヘッダに埋め込まれている、請求項１０に記載の方法。
【請求項１９】
プロセッサ命令を含む非一時的な機械読み取り可能な媒体であって、プロセッサによる前記命令の実行は、
デジタルコンテンツのための要求をユーザデバイスから販売業者サーバに送信することと、
前記ユーザデバイスによって、前記デジタルコンテンツのための要求に応答して送信されたチケットトークンを前記販売業者サーバから受信することであって、前記チケットトークンは、前記販売業者サーバではないＤＲＭサーバによって生成され、電子チケットに関連付けられており、前記電子チケットは、前記電子チケットがＤＲＭサーバによってユーザアカウントに関連付けられたかを示す切られたステータスを含み、前記電子チケットは、前記切られたステータスがＵＮＴＯＲＮとは対照的なＴＯＲＮである場合に前記要求されたデジタルコンテンツの再生を有効にする、ことと、
前記ユーザデバイスを使用して、前記チケットトークンをＤＲＭサーバに送信することであって、前記ＤＭＲサーバは前記販売業者サーバではない、ことと、
前記ユーザデバイスによって、前記チケットトークンに応答して送信された前記電子チケットを前記ＤＲＭサーバから受信することであって、前記電子チケットは、どの特定のユーザアカウントにも未だ関連付けられていないことを示すＵＮＴＯＲＮステータスで開始され、前記電子チケットは、要求されたデジタルコンテンツの再生を有効にする、ことと、
ＤＭＲサーバが前記電子チケットをユーザアカウントに関連付けたことに基づいて、前記電子チケットの切られたステータスをＴＯＲＮに変更することと、
前記ユーザデバイスを使用して、コンテンツサーバから前記電子チケットに関連付けられた前記デジタルコンテンツをダウンロードすることと、
前記電子チケットがＴＯＲＮの切られたステータスを有する場合に、前記要求されたデジタルコンテンツを再生することと
を含むプロセスを前記プロセッサに行なわせる、非一時的な機械読み取り可能な媒体。
【請求項２０】
前記電子チケットは、前記チケットを購入した顧客の識別子と、前記チケットを所有する顧客の識別子とを含む、請求項１に記載のユーザデバイス。
【請求項２１】
前記プロセッサが、ＤＭＲサーバが前記電子チケットをユーザアカウントに関連付けたことに基づいて、前記電子チケットの切られたステータスをＴＯＲＮに変更するように構成されることは、
前記プロセッサが、前記電子チケットに関連付けられたデジタルコンテンツの再生のためのアクセス権利を前記ＤＭＲサーバが付与したことに基づいて、前記電子チケットの切られたステータスをＴＯＲＮに変更するように構成されることを含む、請求項１に記載のユーザデバイス。
【請求項２２】
前記ＵＮＴＯＲＮステータスは、前記電子チケットが購入者から別のユーザに転送され得ることも示す、請求項１に記載のユーザデバイス。
【発明の詳細な説明】
【技術分野】
【０００１】
本発明は、概して、デジタル権利管理（ＤＲＭ）システムに関し、より具体的には、ＤＲＭ保護マルチメディアコンテンツを購入および要求するときのユーザデバイスの認証に関する。
【背景技術】
【０００２】
顧客が、映画館に訪れるとき、プロセスとして、典型的には、「チケット」をチケット売り場で購入し、顧客が映画館に入るとき、チケットが「切られる」ことを伴う。チケットは、特定の映画を視聴する権利のための購入の物理的証明としての役割を果たす。チケットは、購入者から別の顧客に所有を変更し、いずれかの人物によって使用されることができる。チケットは、映画館に入り、切られることによって、請求されるとき、チケットは、チケットを提示する顧客によって引き換えられたと考えられ、これ以降、チケットによって付与される視聴権利は、その顧客によって所有される。
【０００３】
デジタルマルチメディア再生システムでは、視聴権利は、概して、デジタルコンテンツを含む物理的媒体の所有によって支配される。デジタルコンテンツが、ネットワークを経由してストリームされるとき等、コンテンツが、物理的媒体と結び付けられないとき、デジタル権利管理（ＤＲＭ）システムは、多くの場合、コンテンツへのアクセスを制限するために使用される。そのようなシステムは、典型的には、ユーザアカウントおよび購入されたコンテンツをユーザアカウントに関連付けることを伴う。ユーザデバイスは、ユーザアカウントに登録され、次いで、そのユーザアカウントの下で購入されたコンテンツへのアクセスを有し得る。
【発明の概要】
【課題を解決するための手段】
【０００４】
本発明の実施形態によると、電子チケットおよびチケットトークンを使用して、デジタルコンテンツにアクセスするためのシステムおよび方法が、開示される。一実施形態では、ユーザデバイスは、プロセッサと、ネットワークインターフェースと、電子チケットおよびチケットトークンを記憶するように構成されているメモリとを含み、プロセッサは、アプリケーションによって、デジタルコンテンツのための要求を送信し、チケットトークンを販売業者サーバから受信し、ＤＲＭサーバによって生成され、要求されたデジタルコンテンツの再生を有効にする電子チケットに関連付けられている、チケットトークンをＤＲＭサーバに送信し、要求されたデジタルコンテンツの再生を有効にする電子チケットを受信し、電子チケットに関連付けられたデジタルコンテンツを要求し、電子チケットを使用して、要求されたデジタルコンテンツを再生するように構成されている。
【０００５】
さらなる実施形態では、電子チケットは、切られたステータスを含む。
【０００６】
別の実施形態では、電子チケットは、ＸＭＬファイルである。
【０００７】
なおもさらなる実施形態では、電子チケットは、購入されたデジタルコンテンツを識別する。
【０００８】
なおも別の実施形態では、電子チケットは、購入されたコンテンツを識別する情報、コンテンツが再生されることが可能な方法を示すライセンス、購入価格、販売業者取引識別子、チケットを購入した顧客の識別、およびチケットを所有する顧客の識別から成る群から選択される、購入されたコンテンツの特性を含む。
【０００９】
なおもさらなる実施形態では、電子チケットは、電子チケットが参照するデジタルコンテンツにアクセスするために使用されることができる暗号化データに関連付けられる。
【００１０】
さらに別の実施形態では、チケットトークンは、電子チケット、顧客、および要求されたデジタルコンテンツを参照する。
【００１１】
さらなる実施形態では、その上、プロセッサはさらに、デジタルコンテンツのためのアクセス情報を受信するように構成されている。
【００１２】
別の実施形態では、その上、アクセス情報は、デジタルコンテンツの上位レベルインデックス、デジタルコンテンツのための識別子、およびデジタルコンテンツにアクセスするために使用されることができる暗号化データから成る群から選択される、少なくとも一式の情報を含む。
【００１３】
さらなる追加の実施形態では、電子チケットは、マルチメディアファイルのヘッダに埋め込まれる。
【００１４】
別の追加の実施形態は、デジタルコンテンツのための要求をユーザデバイスから販売業者サーバに送信することと、ユーザデバイスを使用して、チケットトークンは、ＤＲＭサーバによって生成され、要求されたデジタルコンテンツの再生を有効にする電子チケットに関連付けられている、チケットトークンを販売業者サーバから受信することと、ユーザデバイスを使用して、チケットトークンをＤＲＭサーバに送信することと、ユーザデバイスを使用して、電子チケットをＤＲＭサーバから受信することと、コンテンツサーバから、ユーザデバイスを使用して、電子チケットに関連付けられたデジタルコンテンツをダウンロードすることと、要求されたデジタルコンテンツを再生することとを含む。
【００１５】
なおもさらなる実施形態では、電子チケットは、切られたステータスを含む。
【００１６】
なおもさらなる別の実施形態では、電子チケットは、ＸＭＬファイルである。
【００１７】
なおもさらなる実施形態では、その上、電子チケットは、購入されたデジタルコンテンツを識別する。
【００１８】
なおも別の実施形態では、その上、電子チケットは、購入されたコンテンツを識別する情報、コンテンツが再生されることが可能な方法を示すライセンス、購入価格、販売業者取引識別子、チケットを購入した顧客の識別、およびチケットを所有する顧客の識別から成る群から選択される、購入されたコンテンツの特性を含む。
【００１９】
なおもさらなる追加の実施形態では、電子チケットは、電子チケットが参照するデジタルコンテンツにアクセスするために使用されることができる暗号化データに関連付けられる。
【００２０】
さらに別の追加の実施形態では、チケットトークンは、電子チケット、顧客、および要求されたデジタルコンテンツを参照する。
【００２１】
なおもさらなる実施形態では、その上、デジタルコンテンツのためのアクセス情報を受信することを含む。
【００２２】
さらに別の実施形態では、その上、アクセス情報は、デジタルコンテンツの上位レベルインデックス、デジタルコンテンツのための識別子、およびコンテンツにアクセスするために使用されることができる暗号化データから成る群から選択される、少なくとも一式の情報を含む。
【００２３】
なおもさらなる追加の実施形態では、電子チケットは、マルチメディアファイルのヘッダに埋め込まれる。
本明細書は、例えば、以下の項目も提供する。
（項目１）
ユーザデバイスであって、
プロセッサと、
ネットワークインターフェースと、
電子チケットとチケットトークンとを記憶するように構成されているメモリと
を備え、
前記プロセッサは、アプリケーションによって、
デジタルコンテンツのための要求を送信することと、
チケットトークンを販売業者サーバから受信することであって、前記チケットトークンは、ＤＲＭサーバによって生成され、前記要求されたデジタルコンテンツの再生を有効にする電子チケットに関連付けられている、ことと、
前記チケットトークンをＤＲＭサーバに送信することと、
要求されたデジタルコンテンツの再生を有効にする電子チケットを受信することと、
前記電子チケットに関連付けられたデジタルコンテンツを要求することと、
前記電子チケットを使用して、前記要求されたデジタルコンテンツを再生することと
を行うように構成されている、ユーザデバイス。
（項目２）
前記電子チケットは、切られたステータスを含む、項目１に記載のユーザデバイス。
（項目３）
前記電子チケットは、ＸＭＬファイルである、項目１に記載のユーザデバイス。
（項目４）
前記電子チケットは、購入されたデジタルコンテンツを識別する、項目１に記載のユーザデバイス。
（項目５）
前記電子チケットは、前記購入されたコンテンツの特性を含み、前記特性は、購入された前記コンテンツを識別する情報、前記コンテンツが再生されることが可能な方法を示すライセンス、購入価格、販売業者取引識別子、前記チケットを購入した顧客の識別、および前記チケットを所有する顧客の識別から成る群から選択される、項目４に記載のユーザデバイス。
（項目６）
前記電子チケットは、前記電子チケットが参照する前記デジタルコンテンツにアクセスするために使用されることができる暗号化データに関連付けられている、項目１に記載のユーザデバイス。
（項目７）
前記チケットトークンは、前記電子チケット、顧客、および前記要求されたデジタルコンテンツを参照する、項目１に記載のユーザデバイス。
（項目８）
前記プロセッサは、前記デジタルコンテンツのためのアクセス情報を受信するようにさらに構成されている、項目１に記載のユーザデバイス。
（項目９）
前記アクセス情報は、前記デジタルコンテンツの上位レベルインデックス、前記デジタルコンテンツのための識別子、および前記デジタルコンテンツにアクセスするために使用されることができる暗号化データから成る群から選択される少なくとも一式の情報を含む、項目８に記載のユーザデバイス。
（項目１０）
前記電子チケットは、マルチメディアファイルのヘッダに埋め込まれている、項目１に記載のユーザデバイス。
（項目１１）
電子チケットおよびチケットトークンを使用して、ユーザデバイス上でのデジタルコンテンツの再生を有効にする方法であって、前記方法は、
デジタルコンテンツのための要求をユーザデバイスから販売業者サーバに送信することと、
前記ユーザデバイスを使用して、前記販売業者サーバからチケットトークンを受信することであって、前記チケットトークンは、ＤＲＭサーバによって生成され、前記要求されたデジタルコンテンツの再生を有効にする電子チケットに関連付けられている、ことと、
前記ユーザデバイスを使用して、前記チケットトークンをＤＲＭサーバに送信することと、
前記ユーザデバイスを使用して、前記電子チケットを前記ＤＲＭサーバから受信することと、
前記ユーザデバイスを使用して、コンテンツサーバから前記電子チケットに関連付けられた前記デジタルコンテンツをダウンロードすることと、
前記要求されたデジタルコンテンツを再生することと
を含む、方法。
（項目１２）
前記電子チケットは、切られたステータスを含む、項目１１に記載の方法。
（項目１３）
前記電子チケットは、ＸＭＬファイルである、項目１１に記載の方法。
（項目１４）
前記電子チケットは、購入されたデジタルコンテンツを識別する、項目１１に記載の方法。
（項目１５）
前記電子チケットは、前記購入されたコンテンツの特性を含み、前記特性は、購入された前記コンテンツを識別する情報、前記コンテンツが再生されることが可能な方法を示すライセンス、購入価格、販売業者取引識別子、前記チケットを購入した顧客の識別、および前記チケットを所有する顧客の識別から成る群から選択される、項目１４に記載の方法。
（項目１６）
前記電子チケットは、前記電子チケットが参照する前記デジタルコンテンツにアクセスするために使用されることができる暗号化データに関連付けられている、項目１１に記載の方法。
（項目１７）
前記チケットトークンは、前記電子チケット、顧客、および前記要求されたデジタルコンテンツを参照する、項目１１に記載の方法。
（項目１８）
前記デジタルコンテンツのためのアクセス情報を受信することをさらに含む、項目１１に記載の方法。
（項目１９）
前記アクセス情報は、前記デジタルコンテンツの上位レベルインデックス、前記デジタルコンテンツのための識別子、および前記コンテンツにアクセスするために使用されることができる暗号化データから成る群から選択される、少なくとも一式の情報を含む、項目１８に記載の方法。
（項目２０）
前記電子チケットは、マルチメディアファイルのヘッダに埋め込まれている、項目１１に記載の方法。
（項目２１）
プロセッサ命令を含む機械読み取り可能な媒体であって、プロセッサによる前記命令の実行は、
デジタルコンテンツのための要求を送信することと、
チケットトークンを受信することであって、前記チケットトークンは、ＤＲＭサーバによって生成され、前記要求されたデジタルコンテンツの再生を有効にする電子チケットに関連付けられている、ことと、
前記チケットトークンをＤＲＭサーバに送信することと、
前記電子チケットを前記ＤＲＭサーバから受信することと、
前記ユーザデバイスを使用して、コンテンツサーバから前記電子チケットに関連付けられた前記デジタルコンテンツをダウンロードすることと、
前記要求されたデジタルコンテンツを再生することと
を含むプロセスを前記プロセッサに行なわせる、機械読み取り可能な媒体。
（項目２２）
デジタル権利管理サーバであって、
プロセッサと、
電子チケットとチケットトークンを記憶するように構成されているメモリと
を備え、
前記プロセッサは、
販売業者サーバを認証することと、
チケットトークンのための要求を前記販売業者サーバから受信することであって、前記要求は、一式のデジタルコンテンツを識別する、ことと、
所定の期間後に期限切れとなるチケットトークンを生成することと、
前記チケットトークンを電子チケットに関連付けることと、
ユーザデバイスへの配信のために、前記チケットトークンを前記販売業者サーバに送信することと、
前記ユーザデバイスから識別された一式のデジタルコンテンツにアクセスするための要求を受信することであって、前記要求は、前記チケットトークンを含む、ことと、
前記電子チケットおよび前記電子チケットに関連付けられた前記識別された一式のデジタルコンテンツのためのアクセス情報を前記ユーザデバイスに送信することと、
前記チケットトークンを期限切れにすることと
を行うように構成されている、デジタル権利管理サーバ。
（項目２３）
前記プロセッサは、ユーザデバイスから受信した前記チケットトークンに基づいて、前記ユーザデバイスがユーザアカウントに登録されていることを認証し、電子チケットを前記ユーザアカウントに関連付けるようにさらに構成されている、項目２２に記載のデジタル権利管理サーバ。
（項目２４）
前記チケットトークンのための要求は、顧客識別子、コンテンツ識別子、販売業者識別子、アカウントリンク識別子、ライセンス識別子、ストリーム識別子、取引識別子、および価格から成る群から選択される少なくとも１つのフィールドを含む、項目２２に記載のデジタル権利管理サーバ。
（項目２５）
前記プロセッサは、新しい購入を表す新しい電子チケットを生成するようにさらに構成されている、項目２２に記載のデジタル権利管理サーバ。
（項目２６）
前記プロセッサは、前記電子チケットを前記販売業者サーバに送信するようにさらに構成されている、項目２２に記載のデジタル権利管理サーバ。
（項目２７）
前記識別された一式のデジタルコンテンツにアクセスするための要求は、前記ユーザデバイスが登録されているユーザアカウントの識別をさらに含む、項目２２に記載のデジタル権利管理サーバ。
（項目２８）
前記プロセッサは、前記電子チケットを前記ユーザアカウントに関連付けるようにさらに構成されている、項目２７に記載のデジタル権利管理サーバ。
（項目２９）
前記プロセッサは、前記ユーザデバイスを前記ユーザアカウントに関連付けるようにさらに構成されている、項目２７に記載のデジタル権利管理サーバ。
（項目３０）
前記識別された一式のデジタルコンテンツにアクセスするための要求は、前記ユーザデバイスの特性または能力を識別する情報をさらに含む、項目２２に記載のデジタル権利管理サーバ。
（項目３１）
前記プロセッサは、前記チケットトークンを確認するようにさらに構成されている、項目２２に記載のデジタル権利管理サーバ。
（項目３２）
前記プロセッサは、前記チケットトークンに基づいて、コンテンツの再生に関するルールを施行するようにさらに構成されている、項目２２に記載のデジタル権利管理サーバ。
（項目３３）
前記プロセッサは、デバイス特性に基づいて、コンテンツの再生に関するルールを施行するようにさらに構成されている、項目２２に記載のデジタル権利管理サーバ。
（項目３４）
前記アクセス情報は、前記デジタルコンテンツの上位レベルインデックス、前記デジタルコンテンツのための識別子、および前記デジタルコンテンツにアクセスするために使用されることができる暗号化データから成る群から選択される少なくとも一式の情報を含む、項目２２に記載のデジタル権利管理サーバ。
（項目３５）
電子チケットおよびチケットトークンを使用して、ユーザデバイス上でのデジタルコンテンツの再生を有効にする方法であって、前記方法は、
ＤＲＭサーバを使用して、販売業者サーバを認証することと、
前記ＤＲＭサーバにおいて、前記販売業者サーバからチケットトークンのための要求を受信することであって、前記要求は、一式のデジタルコンテンツを識別する、ことと、
前記ＤＲＭサーバを使用して、所定の期間後に期限切れとなるチケットトークンを生成することと、
前記ＤＲＭサーバを使用して、前記チケットトークンを電子チケットに関連付けることと、
前記ＤＲＭサーバを使用して、ユーザデバイスへの配信のために、前記チケットトークンを前記販売業者サーバに送信することと、
前記ＤＲＭサーバを使用して、ユーザデバイスがユーザアカウントに登録されていることを認証することと、
前記ＤＲＭサーバを使用して、前記ユーザデバイスから、前記識別された一式のデジタルコンテンツにアクセスするための要求を受信することであって、前記要求は、前記チケットトークンを含む、ことと、
前記ＤＲＭサーバを使用して、前記ユーザデバイスから受信された前記チケットトークンに基づいて、電子チケットを前記ユーザアカウントに関連付けることと、
前記ＤＲＭサーバを使用して、前記電子チケットおよび前記電子チケットに関連付けられた前記識別された一式のデジタルコンテンツのためのアクセス情報を前記ユーザデバイスに送信することと、
前記ＤＲＭサーバを使用して、前記チケットトークンを期限切れにすることと
を含む、方法。
（項目３６）
ユーザデバイスから受信された前記チケットトークンに基づいて、前記ユーザデバイスがユーザアカウントに登録されていることを認証することと、電子チケットを前記ユーザアカウントに関連付けることとをさらに含む、項目３５に記載の方法。
（項目３７）
前記チケットトークンのための要求は、顧客識別子、コンテンツ識別子、販売業者識別子、アカウントリンク識別子、ライセンス識別子、ストリーム識別子、取引識別子、および価格から成る群から選択される少なくとも１つのフィールドを含む、項目３５に記載の方法。
（項目３８）
新しい購入を表す新しい電子チケットを生成することをさらに含む、項目３５に記載の方法。
（項目３９）
前記電子チケットを前記販売業者サーバに送信することをさらに含む、項目３５に記載の方法。
（項目４０）
前記識別された一式のデジタルコンテンツにアクセスするための要求は、前記ユーザデバイスが登録されているユーザアカウントの識別をさらに含む、項目３５に記載の方法。
（項目４１）
前記電子チケットを前記ユーザアカウントに関連付けることをさらに含む、項目４０に記載の方法。
（項目４２）
前記ユーザデバイスを前記ユーザアカウントに関連付けることをさらに含む、項目４０に記載の方法。
（項目４３）
前記識別された一式のデジタルコンテンツにアクセスするための要求は、前記ユーザデバイスの特性または能力を識別する情報をさらに含む、項目３５に記載の方法。
（項目４４）
前記チケットトークンを確認することをさらに含む、項目３５に記載の方法。
（項目４５）
前記チケットトークンに基づいて、コンテンツの再生に関するルールを施行することをさらに含む、項目３５に記載の方法。
（項目４６）
デバイス特性に基づいて、コンテンツの再生に関するルールを施行することをさらに含む、項目３５に記載の方法。
（項目４７）
前記アクセス情報は、前記デジタルコンテンツの上位レベルインデックス、前記デジタルコンテンツのための識別子、および前記デジタルコンテンツにアクセスするために使用されることができる暗号化データから成る群から選択される少なくとも一式の情報を含む、項目３５に記載の方法。
（項目４８）
システムであって、
販売業者サーバと、
ＤＲＭサーバと、
コンテンツサーバと、
ユーザデバイスと
を備え、
前記販売業者サーバ、ＤＲＭサーバ、コンテンツサーバ、およびユーザデバイスは、ネットワークを介して、通信するように構成され、
前記販売業者サーバは、前記販売業者サーバによって維持されているユーザアカウントを認証するように構成され、
前記ユーザデバイスは、一式のデジタルコンテンツを前記販売業者サーバに要求するように構成され、
前記ＤＲＭサーバは、前記販売業者サーバを認証するように構成され、
前記販売業者サーバは、要求された一式のコンテンツに関連付けられたチケットトークンを前記ＤＲＭに要求するように構成され、
前記販売業者サーバは、前記チケットトークンを前記ユーザデバイスに提供するように構成され、
前記ＤＲＭサーバは、前記ＤＲＭサーバによって維持されているユーザアカウントに登録されているとして前記ユーザデバイスを認証するように構成され、
前記ユーザデバイスは、前記チケットトークンを前記ＤＲＭサーバに提供するように構成され、
前記ＤＲＭサーバは、電子チケットを前記ユーザデバイスが登録されている前記ユーザアカウントに関連付けるように構成され、
前記ＤＲＭサーバは、前記ユーザデバイスに、前記要求されたデジタルコンテンツのためのアクセス情報および前記電子チケットを提供するように構成されている、
システム。
（項目４９）
電子チケットおよびチケットトークンを使用して、ユーザデバイス上でのデジタルコンテンツの再生を有効にする方法であって、前記方法は、
前記販売業者サーバを使用して、販売業者サーバによって維持されているユーザアカウントを認証することと、
ユーザデバイスを使用して、一式のデジタルコンテンツを前記販売業者サーバに要求することと、
ＤＲＭサーバを使用して、前記販売業者サーバを認証することと、
前記販売業者サーバを使用して、前記要求された一式のコンテンツに関連付けられたチケットトークンを前記ＤＲＭサーバに要求することと、
前記販売業者サーバを使用して、前記チケットトークンを前記ユーザデバイスに提供することと、
前記ＤＲＭサーバを使用して、前記ＤＲＭサーバによって維持されているユーザアカウントに登録されているとして前記ユーザデバイスを認証することと、
前記ユーザデバイスを使用して、前記チケットトークンを前記ＤＲＭサーバに提供することと、
前記ＤＲＭサーバを使用して、電子チケットを前記ユーザデバイスが登録されているユーザアカウントに関連付けることと、
前記ＤＲＭサーバを使用して、前記ユーザデバイスに、前記電子チケットおよび前記要求されたデジタルコンテンツのためのアクセス情報を提供することと
を含む、方法。
（項目５０）
プロセッサ命令を含む機械読み取り可能な媒体であって、プロセッサによる前記命令の実行は、
販売業者サーバを認証することと、
前記販売業者サーバから、チケットトークンのための要求を受信することであって、前記要求は、一式のデジタルコンテンツを識別する、ことと、
所定の期間後に期限切れとなるチケットトークンを生成することと、
前記チケットトークンを電子チケットに関連付けることと、
ユーザデバイスへの配信のために、前記チケットトークンを前記販売業者サーバに送信することと、
ユーザデバイスがユーザアカウントに登録されていることを認証することと、
前記ユーザデバイスから前記識別された一式のデジタルコンテンツにアクセスするための要求を受信することであって、前記要求は、前記チケットトークンを含む、ことと、
前記ユーザデバイスから受信された前記チケットトークンに基づいて、電子チケットを前記ユーザアカウントに関連付けることと、
前記電子チケットおよび前記電子チケットに関連付けられた前記識別された一式のデジタルコンテンツのためのアクセス情報を前記ユーザデバイスに送信することと、
前記チケットトークンを期限切れにすることと
を含むプロセスを前記プロセッサに行なわせる、機械読み取り可能な媒体。
【図面の簡単な説明】
【００２４】
【図１】図１は、本発明のある実施形態による、ＤＲＭおよびコンテンツ配信システムを図示する、システムレベル概要である。
【図２】図２は、本発明のある実施形態による、電子チケットおよびチケットトークンを使用して、ユーザデバイスに、デジタルコンテンツへのアクセスを提供するためのプロセスを図示する、流れ図である。
【図２Ａ】図２Ａは、本発明のある実施形態による、ユーザデバイス上で電子チケットおよびチケットトークンを使用して、ユーザデバイスに、デジタルコンテンツへのアクセスを提供するためのプロセスを図示する、流れ図である。
【図２Ｂ】図２Ｂは、本発明のある実施形態による、ＤＲＭサーバ上で電子チケットおよびチケットトークンを使用して、ユーザデバイスに、デジタルコンテンツへのアクセスを提供するためのプロセスを図示する、流れ図である。
【図３】図３は、本発明のある実施形態による、電子チケットおよびチケットトークンをメモリ内に記憶する、ユーザデバイスを概念的に図示する。
【図４】図４は、本発明のある実施形態による、電子チケットおよびチケットトークンをメモリ内に記憶する、ＤＲＭサーバを概念的に図示する。
【発明を実施するための形態】
【００２５】
ここで、図面を参照すると、電子チケットおよびチケットトークンを使用して、デジタルコンテンツにアクセスするためのシステムおよび方法が、図示される。多くの実施形態では、ユーザデバイスは、販売業者サーバ、デジタル権利管理（ＤＲＭ）サーバ、およびコンテンツサーバと通信し、デジタルコンテンツへのアクセスを要求し、それを再生することができる。ユーザデバイスは、ユーザインターフェースを顧客に提供する、ウェブブラウザ、ウェブアプリケーション、または他のアプリケーションとともに構成され得る。インターフェースは、典型的には、販売業者から利用可能なデジタルコンテンツを表示し、販売業者サーバからのデータを取り込む。
【００２６】
多くの実施形態では、ユーザデバイスは、デジタルコンテンツにアクセスする権利を販売業者サーバから購入することができる。しかしながら、ユーザデバイスは、購入されたコンテンツにアクセスするために使用される暗号化情報を、ＤＲＭサーバから直接取得する。いくつかの実施形態では、販売業者サーバは、ＤＲＭサーバが、一式のデジタルコンテンツにアクセスするための権利をその顧客の１人に発行することを要求する。要求に応答して、ＤＲＭサーバは、電子チケットを生成する。ＤＲＭサーバはまた、その時に、および／または、ユーザデバイスが、販売業者ウェブサイトを介して、コンテンツの再生を要求したときに、電子チケットに関連付けられたチケットトークンを生成することができる。電子チケットは、ＤＲＭサーバに登録されたユーザデバイスが、ＤＲＭ保護コンテンツを再生するための権利の証拠である。チケットトークンは、ＤＲＭサーバに登録された再生デバイスによって、電子チケットをＤＲＭサーバから取得するために使用されることができる、および／またはコンテンツの再生を有効にする暗号化情報をＤＲＭサーバから取得するために使用されることができる一時的証明書である。多くの事例では、ＤＲＭサーバは、コンテンツを販売業者サーバから購入するユーザデバイスを認証することができない。ＤＲＭサーバは、チケットトークンを、コンテンツを購入するために使用されるユーザデバイスに渡す、チケットトークンを販売業者サーバに提供することができる。トークンがロードされているユーザデバイスまたは別のユーザデバイスがＤＲＭサーバに登録されているならば、ユーザデバイスは、チケットトークンをＤＲＭサーバに提供して、電子チケット、および購入されたコンテンツにアクセスするために必要とされる任意の暗号化情報を取得することができる。その時点において、ユーザデバイスは、ＤＲＭ保護コンテンツをコンテンツサーバから要求し、暗号化情報を使用して、再生を開始することができる。本発明の実施形態による、電子チケットと、デジタルコンテンツを再生するためのユーザデバイスの権利を認証するチケットトークンとの使用は、以下でさらに論じられる。
【００２７】
（システムアーキテクチャ）
本発明のある実施形態による、販売業者サーバ、ＤＲＭサーバ、およびコンテンツサーバと通信し、デジタルコンテンツにアクセスすることができる、ユーザデバイスを含む、システムは、図１に図示される。システム１０は、各々がネットワークを経由して、デジタルコンテンツを要求する能力を有する、いくつかの異なるタイプのユーザデバイス１２を含む。ユーザデバイス１２は、インターネット２０等のネットワークを経由して、販売業者サーバ１４、デジタル権利管理（ＤＲＭ）サーバ１６、およびコンテンツサーバ１８と通信する。いくつかの実施形態では、販売業者サーバ１４は、そのユーザデバイス１２上のウェブブラウザまたは他のアプリケーションを介して、顧客にアクセス可能なインターフェースのような「ストアフロント」を提供する。ＤＲＭサーバ１６は、ユーザデバイス１２を認証し、デジタルコンテンツにアクセスするために使用される暗号化情報を提供するために使用されることができる。いくつかの実施形態では、コンテンツサーバ１８は、デジタルコンテンツをユーザデバイス１２に配信するために使用されることができる、サーバである。コンテンツは、ユーザデバイス１２によってダウンロードおよび／またはストリームされることができる。
【００２８】
購入の表現としての役割を果たす、コンテンツの購入に応答してＤＲＭサーバによって発行される電子チケットは、ユーザデバイス１２、販売業者サーバ１４、ＤＲＭサーバ１６、およびコンテンツサーバ１８間で協調された方式において、購入されたコンテンツのアクセスを促進するために使用されることができる。しかしながら、多くの実施形態では、販売業者サーバ１４は、コンテンツを購入したユーザデバイス１２をＤＲＭサーバ１６に対して認証することが不可能である。故に、ＤＲＭサーバ１６は、一時的証明書としての役割を果たすチケットトークンを販売業者サーバ１４に発行する。いくつかの実施形態では、チケットトークンは、ユーザデバイスによって利用され、自らをＤＲＭサーバに認証し、電子チケットおよび／またはコンテンツの再生を有効にする暗号化情報を取得することができる１回限りの証明書である。いくつかの実施形態では、チケットトークンは、ユーザデバイスが要求コンテンツの再生を要求するときに生成され、所定の期間内で期限が切れる。他の実施形態では、チケットトークンは、ユーザデバイスがコンテンツを購入すると生成される。
【００２９】
販売業者サーバ１４は、チケットトークンを、コンテンツを購入したユーザデバイス１２に提供することができる。ユーザデバイス１２が、ＤＲＭサーバ１６に登録されているならば、ユーザデバイス１２は、自らをＤＲＭサーバに認証し、チケットトークンを、購入されたコンテンツにアクセスするためのユーザデバイスの権利を証明する電子チケットに交換することができる。コンテンツを購入したユーザデバイス１２が、ＤＲＭサーバ１６によって管理されるＤＲＭシステム内に加わる権限がない場合、チケットトークンは、ＤＲＭシステム内に加わることが可能なデバイスに転送されることができる。ＤＲＭサーバが、ユーザデバイスをユーザアカウントに登録する実施形態では、ＤＲＭシステムは、電子チケットを登録されたユーザデバイスに提供することができ、電子チケットをデバイスが登録されたユーザアカウントに関連付けることができる。このように、ユーザアカウントに登録された他のユーザデバイスは、電子チケットへのチケットトークンの最初の交換後、購入されたコンテンツへのアクセスを要求することができる。ユーザデバイスが、以前に、コンテンツの再生を要求している事例では、ユーザデバイスは、電子チケットを所有していることになり得る。ユーザデバイスが、再び、販売業者ウェブサイトを介して、コンテンツの再生を要求すると（例えば、ストリームすることによって）、販売業者は、電子チケットをＤＲＭサーバに提供し、チケットトークンを取得することができる。ユーザデバイスは、次いで、チケットトークンを使用して、前述の様式において、コンテンツにアクセスすることができ、ＤＲＭサーバは、コンテンツの再生を有効にする暗号化情報をユーザデバイスに提供するのに先立って、販売業者サーバによって提供される電子チケットが、コンテンツの再生を試みるユーザデバイスに関連付けられていることを認証することができる。
【００３０】
具体的アーキテクチャが、図１に示されるが、ユーザデバイスが、本発明の実施形態による、電子チケットおよびチケットトークンを使用して、デジタルコンテンツにセキュアにアクセスすることを可能にする、種々のアーキテクチャのいずれかが、利用されることができる。例えば、図１に図示されるサーバはそれぞれ、複数の負荷が分散されたサーバおよび／または異なる機能を行なうサーバを備える、サーバシステムであることができる。加えて、図１に図示されるサーバの機能は、本発明の実施形態による、異なるサーバおよびサーバシステム間で組み合わせられ、および／または分割されることができる。本発明の実施形態による、デジタルコンテンツにアクセスするための電子チケット、チケットトークン、およびチケットの使用は、以下でさらに論じられる。
【００３１】
（電子チケット）
電子チケットは、一式のデジタルコンテンツにアクセスするために購入された権利を表す。電子チケットはまた、自由に配信されることができない無料コンテンツと、サブスクリプション契約の下で再生されるコンテンツとを含む任意のＤＲＭ保護コンテンツを再生する権利を表すために使用されることができる。故に、購入されたコンテンツとは、直接支払を伴うＤＲＭ保護コンテンツにアクセスするための単なる要求よりも多くを包含すると見なされることができ、コンテンツにアクセスするための任意の要求に及ぶことができる。電子チケットは、ストリング、バイナリデータ、または少なくとも、電子チケットが関連付けられるコンテンツのための一意の識別子を含む、情報の他の電子表現であることができる。
【００３２】
電子チケットは、典型的には、購入の有効期限の間、有効なままである。購入が、コンテンツのレンタルであるとき、チケットは、レンタル期間後、期限切れとなり得る。チケットは、最初、アクセスコンテンツにアクセスするために使用される前は、概念上、「切られていない」状態にあり得る。それは、任意の特定のユーザアカウントおよび／またはユーザデバイスに未だ関連付けられておらず、例えば、贈り物として、購入者から任意の他のユーザに転送されることができる。電子チケットは、「切られ」、次いで、そのチケットによって付与される排他的権利を保持するユーザアカウントおよび／またはユーザデバイスに関連付けられ得る。ＤＲＭシステムが、電子チケットをユーザアカウントまたはユーザデバイスに関連付けるかどうかは、ＤＲＭシステムが、デバイスまたはユーザに基づいて、アクセス権利を付与するかどうかに依存し得る。その後、そのユーザアカウントおよび／またはユーザデバイスは、チケットの所有者または保持者と見なされる。電子チケットは、例えば、最初に、それがコンテンツにアクセスするために使用されるとき、またはユーザデバイスがチケットトークンを電子チケットに交換することに応答して、切られ得る（以下の議論参照）。電子チケットの切られた、または切られていないステータスは、（限定されないが）チケット内のフィールドまたはチケットが記憶されているデータベース内の関連付けられたフィールドを含む、種々の方法によって示されることができる。
【００３３】
電子チケットは、関連付けられた情報を記憶することができる種々の形式で表され得る。好適な形式の１つは、Ｗｏｒｌｄ  Ｗｉｄｅ  Ｗｅｂ  Ｃｏｎｓｏｒｔｉｕｍ（Ｗ３Ｃ）（Ｃａｍｂｒｉｄｇｅ，ＭＡ）によるＸＭＬ１．０仕様および関連仕様において定義される、Ｅｘｔｅｎｓｉｂｌｅ  Ｍａｒｋｕｐ  Ｌａｎｇｕａｇｅ（ＸＭＬ）である。ＸＭＬは、ヒト読み取り可能および機械読み取り可能の両方であるべき文書のためのテキストデータ形式を規定する。
【００３４】
本発明の多くの実施形態では、電子チケットは、参照を含むか、またそれが表す購入のいくつかの特性に関連付けられ得る。特性は、（限定ではないが）購入されたコンテンツ、コンテンツが再生され得る方法（高解像度または標準解像度、レンタルまたは購入、ダウンロードまたはストリーム等）を記述するライセンス、購入価格、販売業者取引識別子（ＩＤ）、チケットを購入した顧客、チケットが切られている場合、チケットを所有する顧客を含み得る。デジタルコンテンツをデコードまたは解読するために使用されることができる、暗号化情報もまた、チケットに関連付けられ得る。特性または暗号化情報は、電子チケットの一部として記憶され得るか、またはチケットが、その情報が見出され得る場所へのポインタまたは識別子を有し得る。
【００３５】
（チケットトークン）
チケットトークンが、生成され、ＤＲＭシステムに登録されたユーザデバイスによって電子チケットに交換され得る一時的証明書として、電子チケットに関連付けられることができる。多くの実施形態では、販売業者サーバは、ユーザが、コンテンツの再生を要求すると、チケットトークンをＤＲＭサーバに要求する。いくつかの実施形態では、販売業者サーバは、ユーザがコンテンツを購入すると、チケットトークンをサーバに要求する。要求は、（限定されないが）コンテンツ識別子、販売業者識別子、アカウントリンク識別子、ライセンス識別子、ストリーム識別子、取引識別子、通貨、および／または価格等の情報を含み得る。返されるチケットトークンは、電子チケット、顧客、および現在のコンテンツ要求を参照し得る。最初に、ユーザデバイスが再生を要求すると、ユーザデバイスは、チケットトークンを電子チケットに交換することができる。ユーザデバイスが、電子チケットを取得した後、さらなる再生要求は、電子チケットを識別することができ、ＤＲＭサーバは、コンテンツの再生を試みるユーザデバイスが、電子チケットが関連付けられたユーザアカウントに登録されていることを認証するために使用される、チケットトークンを発行することができる。
【００３６】
いくつかの実施形態では、販売業者サーバは、ユーザデバイスまたはユーザデバイス上で有効にされたユーザアカウントが、販売業者サーバによって認証された後にのみ、チケットトークンをユーザデバイスに提供する。ＤＲＭサーバは、ユーザデバイスを認証せずに、チケットトークンを発行することができる。認証は、チケットトークンが、コンテンツの再生を要求するために使用されるとき、および／またはユーザデバイスによって電子チケットに交換されるときに生じる。多くの実施形態では、ＤＲＭサーバは、セッションが完了し、トークンを期限切れにするとき、またはある一定時間が経過後、トークンを期限切れにするときを決定し得る。さらに、トークンは、典型的には、１回のみ、使用されることができる。本発明の実施形態による、電子チケットおよび関連付けられたチケットトークンを使用して、ＤＲＭ保護コンテンツへのアクセスを付与する方法は、以下でさらに論じられる。
【００３７】
（再生を促進するためのチケットおよびチケットトークンの取得）
典型的には、顧客は、販売業者のウェブサイト上、または販売業者のデジタルコンテンツ提供物を示す、いくつかの他のタイプのインターフェースを通して、デジタルコンテンツへのアクセスを購入または別様に要求するであろう。顧客は、ウェブブラウザアプリケーションを伴うパーソナルコンピュータ、画面上インターフェースを伴うユーザデバイス、または他の双方向ユーザデバイスを使用して、販売業者の提供物を閲覧し得る。顧客は、典型的には、販売業者とのアカウントおよびアカウント使用のログを有するか、または既存のアカウントが存在しない場合、最初に、新しいアカウントを作成する。購入されたコンテンツは、将来的に視聴されるか（すなわち、関連付けられた電子チケットは、切られていない）、または直ぐに再生されることができる。いくつかの実施形態では、コンテンツは、ストリームされ、および／またはダウンロードされながら視聴される。
【００３８】
多くの実施形態では、コンテンツを購入および再生するプロセスは、販売業者がチケットトークンをＤＲＭサーバから取得することを伴う。チケットトークンを取得するユーザデバイスは、ＤＲＭサーバによって、購入されたコンテンツを再生するためのユーザデバイスの権利を証明するための電子チケット、および購入されたコンテンツを再生するために必要な暗号化情報に、それを交換することができる。本発明のある実施形態による、電子チケットおよび関連付けられた電子トークンを使用して、販売業者を介して購入されたデジタルコンテンツへのアクセスをユーザデバイスに付与するためのプロセス１００は、図２に示される。
【００３９】
ＤＲＭサーバは、販売業者サーバを認証する（１０２）。認証は、販売業者サーバと、ＤＲＭサーバおよび／またはＤＲＭサーバが属するＤＲＭシステムとの間にあるレベルの識別および信頼性を確立することを伴い得る。
【００４０】
ユーザデバイスは、デジタルコンテンツのための要求を販売業者サーバに送信する（１０４）。
【００４１】
販売業者サーバは、チケットトークンのための要求をＤＲＭサーバに送信する（１０６）。新しい購入である場合、電子チケットは未だ存在せず、販売業者サーバはまた、購入を表すために新しい電子チケットが作成されることを要求し得る。本発明のいくつかの実施形態では、要求はまた、購入に関連付けられるべき情報を含み得る。情報は、（限定ではないが）コンテンツ識別子、販売業者リンク識別子、アカウントリンク識別子、ライセンス識別子、ストリーム識別子、取引識別子、通貨、および／または価格を含み得る。
【００４２】
ＤＲＭサーバは、チケットトークンを生成し（１０８）、トークンを、購入を表す電子チケットに関連付ける。新しい購入である場合、ＤＲＭサーバは、新しい電子チケットを作成する。ＤＲＭサーバとのユーザのアカウントに登録されたユーザデバイスによって、以前に購入および再生されたコンテンツの再生が要求される場合、チケットトークンは、既存の電子チケットに関連付けられる。本発明の種々の実施形態では、デジタルコンテンツは、即時視聴のためのストリームプロトコルを介して転送されるか、または切断された再生モード（すなわち、サーバと即時通信していない）において視聴されるために後でダウンロードされ得る。直ぐにストリームされる場合、電子チケットは、直ぐに「切られ」得る。コンテンツが、後にダウンロードされる場合、電子チケットは、「切られず」、「切られる」前に別の顧客に転送され、その顧客のアカウントに関連付けられる能力を保持し得る。電子チケットは、ユーザデバイス上に記憶され得、再生が要求された場合にデバイスから削除され、以下でさらに論じられるように、切断再生のために、コンテンツとともにコンテナファイル内に埋め込まれ得る。
【００４３】
ＤＲＭサーバは、チケットトークンを販売業者サーバに送信する（１１０）。販売業者サーバが、電子チケットを未だ有していない場合（例えば、新しい購入の場合）、ＤＲＭサーバはまた、電子チケットを送信することができる。多くの実施形態では、販売業者サーバは、将来的参照のために、電子チケットを記憶する。
【００４４】
販売業者サーバは、チケットトークンをユーザデバイスに送信する（１１２）。
【００４５】
ユーザデバイスは、チケットトークンをＤＲＭサーバに送信する（１１４）。ＤＲＭサーバとの通信において、ユーザデバイスはまた、顧客および／またはデバイスを識別あるいは記述する、顧客および／またはデバイスに関する情報を送信し得る。例えば、ユーザデバイスは、ＤＲＭサーバを用いて認証され得る。認証は、デバイスが自らを具体的ユーザアカウントに登録されているとして識別することを含み得る。ユーザアカウントは、消費者またはユーザデバイスが販売業者サーバに保持するアカウントと同一であってもよく、または（より典型的には）消費者またはユーザデバイスがＤＲＭサーバが属するＤＲＭシステムに保持する別個のアカウントであり得る。
【００４６】
本発明の多くの実施形態では、デバイスは、デバイスのブランドおよびモデル、またはデバイスのグラフィックおよびオーディオ能力（例えば、高解像度、マルチチャネルオーディオ、ＭＰＥＧ４デコーディング）を識別する、情報を送信し得る。情報は、デバイスをＤＲＭシステムに対して認証するのに役立て、デバイスに提供するためのコンテンツの適切な形式を決定するために使用されることができる。ユーザデバイスに関する情報を収集し、デバイス一致データトークンを使用して、情報を表すためのシステムおよびプロセスは、米国特許出願第１３／３３９，３１５号「Ｂｉｎｄｉｎｇ  ｏｆ  Ｃｒｙｐｔｏｇｒａｐｈｉｃ  Ｃｏｎｔｅｎｔ  Ｕｓｉｎｇ  Ｕｎｉｑｕｅ  Ｄｅｖｉｃｅ  Ｃｈａｒａｃｔｅｒｉｓｔｉｃｓ  ｗｉｔｈ  Ｓｅｒｖｅｒ  Ｈｅｕｒｉｓｔｉｃｓ」（本開示は、参照することによって全体として本明細書に組み込まれる）に開示されるものを含む。
【００４７】
ＤＲＭサーバは、例えば、トークンが未だ使用されておらず、かつ期限が切れていないことをチェックすることによって、チケットトークンを確認する（１１６）。ＤＲＭサーバは、チケットトークンを使用して、それが参照する電子チケットおよび要求を送信した顧客に関する顧客情報を決定する。
【００４８】
ＤＲＭサーバは、電子チケットを顧客のユーザアカウントに関連付け（１１８）、未だそのように登録されていない場合、チケットトークンに関連付けられた顧客情報およびユーザデバイスから受信されているデバイス一致データを使用して、ユーザデバイスをユーザアカウントに登録する。
【００４９】
本発明の多くの実施形態では、ＤＲＭサーバはまた、チケットトークンおよび／またはデバイス一致データトークンを使用して、あるルールに従って、再生要求を検証し得る。例えば、ＤＲＭサーバは、コンテンツの再生に関して、同時並行およびデバイスルールを施行し得る。同時並行ルールは、ユーザアカウント上の１つのみのデバイスが、任意のコンテンツを１度に再生することができること、または特定の一式のコンテンツが、１度に１つのデバイス上でのみ再生され得ることを規定し得る。デバイスルールは、高解像度コンテンツをテレビディスプレイに接続されたセットトップボックス等のユーザデバイスに限定することを含み得る。デバイス一致データトークンは、デバイスのタイプを識別し、したがって、ＤＲＭサーバは、デバイスタイプを調べ、コンテンツの適切な形式を決定することができる。
【００５０】
本発明の多くの実施形態では、電子チケットおよび／またはチケットトークンは、その下でコンテンツが再生され得るライセンスを識別するための情報を含む。ＤＲＭサーバは、チケット情報を使用して、ライセンス情報を読み出し、ユーザデバイスが、要求されるコンテンツにアクセスし、またはそれを解読することができるアクセス情報を生成あるいは読み出すことができる。アクセス情報は、（限定ではないが）デジタルコンテンツの上位レベルインデックスファイル、デジタルコンテンツのための識別子または場所ポインタ、および／またはコンテンツにアクセスするため、および／またはそれを暗号化するために使用されることができる暗号化データを含むことができる。本発明のいくつかの実施形態では、上位レベルインデックスファイルは、再生デバイスによって、コンテンツをストリームおよび再生するために利用されることができるメディアのストリームを含むコンテナファイルの場所およびコンテンツを記述する。適応ビットレートストリーミングシステムでは、上位レベルインデックスファイルは、典型的には、再生デバイスが切り替えることができる、代替ストリームを参照する。適応ビットレートストリームにおいて使用するための上位レベルインデックスファイルを自動的に生成するためのシステムおよび方法は、２０１１年１２月３０日出願の米国特許出願第１３／３４１，７８９号「Ｓｙｓｔｅｍｓ  ａｎｄ  Ｍｅｔｈｏｄｓ  ｆｏｒ  Ａｕｔｏｍａｔｉｃａｌｌｙ  Ｇｅｎｅｒａｔｉｎｇ  Ｔｏｐ  Ｌｅｖｅｌ  Ｉｎｄｅｘ  Ｆｉｌｅｓ」（本開示は、参照することによって全体として本明細書に組み込まれる）に開示されるものを含む。
【００５１】
ＤＲＭサーバは、電子チケットをユーザデバイスに送信する（１２０）。いくつかの実施形態では、電子チケットは、別のファイル内に埋め込まれる。チケットは、要求されたコンテンツを含むファイル、例えば、マルチメディアコンテナファイルのヘッダ内に埋め込まれ得る。多くの実施形態では、ＤＲＭサーバはまた、要求されたコンテンツにアクセスするため、またはそれを再生するために使用される、アクセス情報を送信する。ＤＲＭサーバは、トークンを期限切れにすることによって、トークンを無効にする（１２２）。
【００５２】
受信された電子チケットおよびアクセス情報を使用して、ユーザデバイスは、ダウンロードまたはストリームを介して、要求されたコンテンツを再生することができる。本発明の多くの実施形態では、コンテンツは、ネットワークを経由して、ユーザデバイスにアクセス可能なコンテンツサーバ上にホストされる。ユーザデバイスは、コンテンツサーバからコンテンツを要求し得る。コンテンツは、ダウンロードされ、ダウンロードの間、またはダウンロード完了後、再生される（１２４）か、あるいはユーザデバイスに転送されている間、ストリームおよび再生され得る。ユーザデバイスは、「ハートビート」等の信号をＤＲＭサーバに送信し、サーバに、現在コンテンツを再生していること、および／または再生されているファイル内の位置を知らせ得る。ＤＲＭサーバは、顧客が、再生を停止し、同一のまたは異なるユーザデバイス上で、同一の位置から再開することができるように、レジューム特徴の提供等の機能のために、この情報を使用することができる。
【００５３】
特定のプロセスが、図２に図示されるが、電子チケットと、ユーザデバイスに、購入されたデジタルコンテンツへのアクセスを提供するために、電子チケットを参照するチケットトークンとを利用するための種々のプロセスのいずれかが、本発明の実施形態に従って利用されることができる。
【００５４】
図２に図示されるプロセスに類似するプロセスは、ユーザデバイスとサーバとが、電子チケットとチケットトークンとを交換するように構成することによって、実装され得る。ユーザデバイスを使用して、本発明のある実施形態による、電子チケットおよび関連付けられた電子トークンを用いて、販売業者を介して購入されたデジタルコンテンツへのアクセスを使用するための一般化プロセス１３０が、図２Ａに示される。顧客は、ユーザデバイスを使用して、コンテンツを購入する、または購入されたコンテンツの再生を要求する（１３２）。ユーザデバイスは、チケットトークンを販売業者サーバから受信する（１３４）。ユーザデバイスは、デジタルコンテンツへのアクセスのための要求において、チケットトークンをＤＲＭサーバに送信する（１３６）。ユーザデバイスは、ＤＲＭサーバから、チケットトークンによって参照される、または別様にそれに関連付けられている、電子チケットと、デジタルコンテンツのためのアクセス情報とを受信する（１３８）。電子チケットおよびアクセス情報を使用して、ユーザデバイスは、要求されるコンテンツを受信および再生する（１４０）。本発明の多くの実施形態では、コンテンツは、ネットワークを経由して、ユーザデバイスにアクセス可能なコンテンツサーバ上にホストされる。特定のプロセスが、図２Ａに図示されるが、電子チケットと、ユーザデバイスに、購入されたデジタルコンテンツへのアクセスを提供するための電子チケットを参照する、チケットトークンとを利用するための種々のプロセスのいずれかが、本発明の実施形態に従って利用されることができる。
【００５５】
ＤＲＭサーバを使用して、ユーザデバイスに、本発明のある実施形態による、電子チケットおよび関連付けられた電子トークンを用いて、販売業者を介して購入されたデジタルコンテンツへのアクセスを提供するための一般化プロセス１５０が、図２Ｂに示される。ＤＲＭサーバは、販売業者サーバを認証する（１５２）。ＤＲＭサーバは、チケットトークンのための要求を販売業者サーバから受信する（１５４）。ＤＲＭサーバは、チケットトークンを生成し、トークンを電子チケットに関連付ける（１５６）。既存のチケットが存在しない場合（例えば、新しい購入の場合）、ＤＲＭサーバはまた、電子チケットも作成する。ＤＲＭサーバは、ユーザデバイスへの配信のためのチケットトークンを販売業者サーバに送信する（１５８）。ＤＲＭサーバは、ユーザデバイスを認証する（１６０）。ＤＲＭサーバは、ユーザデバイスから、デジタルコンテンツへのアクセスのための要求において、チケットトークンを受信し（１６２）、トークンを確認する（１６４）。ユーザアカウント情報が提供される場合、ＤＲＭサーバは、電子チケットをユーザアカウントに関連付ける（１６６）。ＤＲＭサーバは、チケットトークンによって参照される、または別様にそれに関連付けられている、電子チケットを、ユーザデバイスに、要求されたデジタルコンテンツのためのアクセス情報とともに送信する（１６８）。ＤＲＭサーバは、チケットトークンを期限切れにする（１７０）。特定のプロセスが、図２Ｂに図示されるが、電子チケットと、ユーザデバイスに、購入されたデジタルコンテンツへのアクセスを提供するための電子チケットを参照する、チケットトークンとを利用するための種々のプロセスのいずれかが、本発明の実施形態に従って利用されることができる。本発明の実施形態による、電子チケットおよびチケットトークンを利用することができる、ユーザデバイスおよびＤＲＭサーバは、以下でさらに論じられる。
【００５６】
（ユーザデバイス）
本発明の多くの実施形態では、電子チケットは、再生デバイス上に記憶され、ユーザデバイスが、電子チケットを使用して、ＤＲＭシステムを通して、コンテンツにアクセスすることを可能にする。本発明のある実施形態による、電子チケットを使用して、購入されたコンテンツにアクセスするように構成されている、ユーザデバイスは、図３に示される。再生デバイス３０は、プロセッサ３２、メモリ３４、およびネットワークインターフェース３５を含む。図示される実施形態では、電子チケット３６およびチケットトークン３８は、メモリ内に記憶されることができる。典型的には、メモリは、不揮発性メモリであり、電子チケット３６およびチケットトークン３８の持続的記憶を提供する。いくつかの実施形態では、電子チケット３８は、それが参照するコンテンツとともに、コンテナファイル内に含まれ得る。いくつかの実施形態では、チケットは、購入後、購入者のユーザデバイス上に記憶され得、贈り物として与えられる場合、別のデバイスに転送され得、切られたときに、その隔離された形態（すなわち、コンテナファイル外）においてデバイスから削除され得る。チケットは、典型的には、切断再生モードにおいて、このように取り扱われる。いくつかの実施形態では、クライアントアプリケーション３９は、販売業者サーバと通信し、コンテンツを購入し、チケットトークンを取得するように、ユーザデバイスを構成する。クライアントアプリケーション３９はまた、自らをＤＲＭサーバに認証し、暗号化情報を要求し、チケットトークンを使用して、コンテンツを再生し、および／またはチケットトークンを電子チケットに交換するように、ユーザデバイスを構成する。特定のユーザデバイスアーキテクチャが、図３に図示されるが、サーバと相互作用し、前述の様式において、デジタルコンテンツの再生を可能にする、種々のアーキテクチャのいずれかが、本発明の実施形態に従って、利用されることができる。
【００５７】
（ＤＲＭサーバ）
本発明の多くの実施形態では、電子チケットおよびチケットトークンは、販売業者サーバまたはＤＲＭサーバ（例えば、データベース内）上に参照のために記憶され、購入を追跡し、ユーザデバイスに、コンテンツへのアクセスを提供し得る。販売業者またはＤＲＭサーバは、（限定されないが）顧客電子メールアドレス、販売業者識別子、コンテンツ識別子、または販売業者取引識別子等のフィールドを使用して、電子チケットを調べ得る。本発明のある実施形態による、電子チケットおよびチケットトークンを発行し、ＤＲＭ保護コンテンツの再生を有効にする暗号化情報を提供するように構成されている、ＤＲＭサーバは、図４に示される。ＤＲＭサーバは、プロセッサ５２およびメモリ５４を含む。図示される実施形態では、メモリ５４は、複数の電子チケット５６およびチケットトークン５８を含む。前述のように、ＤＲＭサーバは、ＤＲＭサーバアプリケーションソフトウェア５９によって、電子チケットの生成、電子チケットに関連付けられたチケットトークンの発行、およびユーザおよび／またはユーザデバイスへの電子チケットの関連付けを管理するように構成されることができる。加えて、ＤＲＭサーバアプリケーションソフトウェア５９は、再生コンテンツを再生する権限がある再生デバイスへの暗号化情報の発行（図示せず）を管理することができ、その認証は、電子チケットによって証明される。
【００５８】
前述の説明は、多くの仕様を含むが、これらは、本発明の範囲の限定としてではなく、単に、本発明の現在好ましい実施形態のうちのいくつかの例証を提供するものと解釈されるべきである。種々の他の実施形態が、その範囲内において可能である。故に、本発明の範囲は、図示される実施形態によってではなく、添付の請求項およびその均等物によって決定されるべきである。
【図１】
0005837234.tif 000002
【図２】
0005837234.tif 000003
【図２Ａ】
0005837234.tif 000004
【図２Ｂ】
0005837234.tif 000005
【図３】
0005837234.tif 000006
【図４】
0005837234.tif 000007